(57)【要約】      （修正有）【課題】複雑な装置や演算式を必要とすることなく、毛髪のダメージを簡易に診断できる毛髪の診断方法を提供する。【解決手段】所定数の毛髪群を選択するステップと、毛髪群を毛先部分で折り返し、この折り返し部分に押圧力を作用させるステップと、押圧力を解除し、毛先部分の状態を視認するステップとを含む毛髪のダメージ診断方法である。毛先部分の状態を視認するステップにおいて、押圧力を解除した直後に折り返し前よりも毛髪群が屈曲又は湾曲しているときに、毛髪にダメージが蓄積していると判断することが好ましい。折り返し部分への押圧力の作用が、第一指とその他の任意の指とで押し潰すことで行われるとよい。押圧力を作用させる時間としては、２秒以上が好ましい。本発明のダメージ診断方法は、化学的処理によるダメージ蓄積の判断を行うために使用されると良い。【選択図】図３
2015036017.tif 000002
【特許請求の範囲】
【請求項１】
所定数の毛髪群を選択するステップと、
上記毛髪群を毛先部分で折り返し、この折り返し部分に押圧力を作用させるステップと、
上記押圧力を解除し、上記毛先部分の状態を視認するステップと
を含む毛髪のダメージ診断方法。
【請求項２】
上記毛先部分の状態を視認するステップにおいて、上記押圧力を解除した直後に、折り返し前よりも上記毛髪群が屈曲又は湾曲しているときに、毛髪にダメージが蓄積していると判断する請求項１に記載の毛髪のダメージ診断方法。
【請求項３】
上記押圧力を作用させるステップにおける上記折り返し部分への押圧力の作用が、第一指とその他の任意の指とで押し潰すことで行われる請求項１又は請求項２に記載の毛髪のダメージ診断方法。
【請求項４】
上記押圧力を作用させるステップにおける上記押圧力を作用させる時間が２秒以上である請求項１、請求項２又は請求項３に記載の毛髪のダメージ診断方法。
【請求項５】
上記毛髪群が化学的処理によるダメージが蓄積したものであるかの判断を行うために使用される請求項１から請求項４のいずれか１項に記載の毛髪のダメージ診断方法。
【発明の詳細な説明】
【技術分野】
【０００１】
本発明は、毛髪のダメージ診断方法に関する。
【背景技術】
【０００２】
現在、毛髪にカラーリングやパーマ等の化学的処理を施すことが一般に行われている。このような化学的処理は、一定期間毎に繰り返し行われることが多い。化学的処理が繰り返されると、毛髪から間充物質等が流出し、これが原因となって毛髪の弾性、すなわちハリやこしが無くなる。また、化学処理によりダメージが蓄積した毛髪は、絡まりやすいばかりでなく、しなやかさやしっとり感がなくなり毛髪の見た目も悪化する。このようなダメージを毛髪に与える原因としては、化学的処理だけでなく、紫外線、ドライヤーの熱、ブラッシング、摩擦等も挙げられる。
【０００３】
上述のようなダメージを受けた毛髪は、ヘアリンス、ヘアトリートメント、ヘアコンディショナー等のヘアケア剤を使用したヘアケアを行うことで、ダメージの蓄積を予防すると共にダメージの補修を図り、また毛髪の見た目を改善することが可能である。ダメージ毛髪に対するヘアケアは、毛髪のダメージができるだけ小さい早い段階から継続して行うことが効果的である。そのため、毛髪におけるダメージの状態を評価するために、種々の方法が提案されている（例えば特許文献１〜６等参照）。
【０００４】
しかし、従来の毛髪の評価方法は、複雑な装置や演算式を必要とするものが多く、簡便性に乏しくコスト的にも不利である。そのため、毛髪のダメージを簡便かつコスト的に有利に診断することができる方法の確立が望まれている。
【先行技術文献】
【特許文献】
【０００５】
【特許文献１】特許第５１６１０１１号公報
【特許文献２】特許第５１４１８８３号公報
【特許文献３】特許第４５８２９４３号公報
【特許文献４】特許第４３４３７６４号公報
【特許文献５】特許第４１１６０３５号公報
【特許文献６】特許第２９４１１１４号公報
【発明の概要】
【発明が解決しようとする課題】
【０００６】
本発明は、上記した事情に鑑みてなされたものであり、複雑な装置や演算式を必要とすることなく、毛髪のダメージを簡便かつコスト的に有利に診断できる毛髪の診断方法を提供することを目的とする。
【課題を解決するための手段】
【０００７】
上記課題を解決するためになされた発明は、所定数の毛髪群を選択するステップと、上記毛髪群を毛先部分で折り返し、この折り返し部分に押圧力を作用させるステップと、上記押圧力を解除し、上記毛先部分の状態を視認するステップとを含む毛髪のダメージ診断方法である。
【０００８】
当該毛髪のダメージ診断方法は、毛先部分にダメージが蓄積した毛髪の弾性力が低下することに着目したものであり、毛先部分に押圧力を作用させた後の毛髪の状態を視認することで毛髪のダメージを診断するものである。そして、当該毛髪のダメージ診断方法によれば、毛先部分に対する押圧力の作用と解除という極めて簡易なステップを経て最終的に折り曲げた毛先部分を視認することで毛髪のダメージを診断することができる。そのため、複雑な装置や演算式を用いることなく、簡便かつコスト的に有利に毛髪のダメージを診断することができる。その結果、個人でも毛髪のダメージ診断を簡便かつコスト的に有利に行えるため、例えば、美容室において美容師が顧客に対してダメージ毛髪の診断を行うことができ、ダメージ毛に対するヘアケアを顧客に勧めると共に適切なヘアケア剤やヘアケア方法の提案に役立つ。
【０００９】
上記毛先部分の状態を視認するステップにおいて、上記押圧力を解除した直後に、折り返し前よりも上記毛髪群が屈曲又は湾曲しているときに、毛髪にダメージが蓄積していると判断するとよい。このような方法によれば、目視により毛髪のダメージを判断することができるため、複雑かつ特殊な装置を用いることもなく、特殊な技能を取得するまでもなく、簡便かつコスト的に有利に毛髪のダメージを診断することが可能となる。
【００１０】
上記押圧力を作用させるステップにおける上記折り返し部分への押圧力の作用が、第一指とその他の任意の指とで押し潰すことで行われるとよい。このような方法で押圧力を作用させるようにすれば、より簡便かつコスト的に有利に毛髪のダメージを診断することが可能となる。
【００１１】
上記押圧力を作用させるステップにおける上記押圧力を作用させる時間としては２秒以上が好ましい。押圧時間を２秒以上にすることで、ダメージ蓄積の診断に適する。
【００１２】
上記毛髪のダメージ診断方法は、上記毛髪群が化学的処理によるダメージが蓄積したものであるかの判断を行うために使用されるものであると良い。
【発明の効果】
【００１３】
本発明によれば、複雑な装置や演算式を必要とすることなく、毛髪のダメージを簡便かつコスト的に有利に診断できる毛髪のダメージ診断方法が提供される。
【図面の簡単な説明】
【００１４】
【図１】本発明の一実施形態に係るダメージ診断方法の押圧力作用ステップを説明するための毛髪の模式的正面図である。
【図２】毛髪群に押圧力を作用させる例を説明するための模式的斜視図である。
【図３】毛髪群のダメージの判断基準を示す模式的正面図である。
【図４】エイジング毛を説明するための毛髪の模式的正面図である。
【図５】エイジング毛の進行程度を説明するための頭部の模式的背面図である。
【図６】エイジング毛の存在を確認するための方法を説明するための図である。
【発明を実施するための形態】
【００１５】
以下、本発明の一実施形態に係る毛髪のダメージ診断方法について図面を参照しつつ説明する。
【００１６】
［毛髪のダメージ診断方法］
本実施形態の毛髪のダメージ診断方法は、外的要因によってダメージが蓄積しているか否かを診断する方法である。ここで、外的要因とは、毛髪に対するカラーリングやパーマ等の酸化反応又は還元反応を伴う化学的処理、紫外線、ドライヤーの熱、ブラッシング、摩擦などである。
【００１７】
このダメージ診断方法は、（１）毛髪群選択ステップ、（２）押圧力作用ステップ及び（３）毛先部分の状態の視認ステップを含む。
【００１８】
＜（１）毛髪群選択ステップ＞
毛髪群選択ステップは、所定数の毛髪群を選択することで行われる。毛髪群の選択領域の大きさとしては、例えば矩形換算で約１ｃｍ×３ｃｍである。選択される毛髪群の本数としては、２０本以上１００本以下であり、典型的には３０本程度である。
【００１９】
＜（２）押圧力作用ステップ＞
押圧力作用ステップは、図１（Ａ）及び図２（Ｂ）に示すように、毛髪群１を毛先部分１０において折り返し、この折り返し部分１１に押圧力を作用させることで行われる。毛髪群１の折り返し角度としては、略１８０℃が好ましい。
【００２０】
折り返し部分１１としては、毛髪群１の毛先１２から例えば１ｃｍ以上１０ｃｍ以下の範囲の部分であり、典型的には３ｃｍ以上５ｃｍ以下の範囲の部分である。このように折り返し部分１１が毛先１２から上記範囲であると、毛髪の中でもダメージの蓄積が大きいかの判断をより適切に行うことができる。すなわち、毛先１２からの距離が長過ぎると、折り返し部分１１があまりダメージを受けていない部分である可能性があるために、毛先付近に大きくダメージが蓄積しているにも関わらず毛髪群１が屈曲等せずにダメージの蓄積が小さいと誤認されるおそれがある。一方、毛先１２からの距離が短すぎると、折り返し部分１１において毛髪群１を折り返す作業が困難となるおそれがある。
【００２１】
ここで、毛髪群１の毛先１２とは、毛髪群１を構成する毛髪のうち最も毛先１２が突出している毛髪の毛先から測定した値である（図３（Ａ）を参照）。
【００２２】
押圧力は、図２に示すように第一指２１とその他の任意の指（図では第二指２２）とで押し潰すことで行われるとよい。このような方法で押圧力を作用させるようにすれば、複雑かつ特殊な装置を用いることも特殊な技術を取得までもなく、簡便かつコスト的に有利に毛髪のダメージを診断することが可能となる。
【００２３】
押圧力を作用させる時間としては、例えば２秒以上１０秒以下である。押圧時間が短すぎると、ダメージ毛であった場合でも押圧力の解除後に毛髪群が直ちに元の形状に戻ってしまい、ダメージの蓄積を適切に診断できないおそれがある。一方、押圧時間が長過ぎても、ダメージ蓄積の診断が煩雑になるだけである。
【００２４】
＜（３）毛先部分の状態の視認ステップ＞
毛先部分１０の状態の視認ステップは、上記（２）押圧力作用ステップにおいて作用させた押圧力を解除し、毛先部分１０の状態を視認することで行われる。
【００２５】
押圧力を解除した直後に毛先部分１０を視認するには、判断時間の短縮のために、押圧力を解除してから１０秒以内の時間が好ましく、５秒以内がより好ましく、３秒以内がさらに好ましい。
【００２６】
折り返し部分に折れ目が視認されるか否かの判断は、例えば図３（Ａ）〜図３（Ｅ）に示した毛髪群３Ａ〜３Ｅの状態を基準とし、この基準毛髪群３Ａ〜３Ｅと照らし合わせることで行われる。
【００２７】
図３（Ａ）に示した毛髪群３Ａは、押圧力の解除直後に毛髪群が押圧力付与前の状態に戻ったものである。毛髪群３Ａに近い状態の毛髪群は、十分な弾性があると判断できるため、毛髪へのダメージの蓄積が無い又は非常に小さいと判断される。
【００２８】
図３（Ｂ）に示した毛髪群３Ｂは、押圧力の解除直後に毛髪群が押圧力付与前の状態に完全には戻らないが、軽く湾曲した程度であって押圧力付与前の状態に近いものである。毛髪群３Ｂに近い状態の毛髪群は、毛髪群３Ａと同様に十分な弾性があると判断できるため、毛髪へのダメージ蓄積が小さいと判断される。
【００２９】
図３（Ｃ）、図３（Ｄ）及び図３（Ｅ）は、頭髪中で異形の毛髪（以下、「エイジング毛」）を含む毛髪群に化学的処理によるダメージが大きく蓄積した状態を表す模式図である。但し、エイジング毛を含む毛髪群に化学的処理以外のダメージが蓄積しても、図３（Ｃ）、図３（Ｄ）及び図３（Ｅ）の状態になることは、経験上確認されていない。また、エイジング毛を含まない毛髪群が化学的処理によるダメージが蓄積したものであっても、経験上確認されているのは、図３（Ｃ）、図３（Ｄ）及び図３（Ｅ）の状態よりも程度の小さい屈曲である。なお、エイジング毛を含む毛髪群に化学的処理によるダメージが大きく蓄積している場合、押圧力を解除した後に屈曲又は湾曲した毛髪群の内角は、典型的には１５０度以下である。
【００３０】
ここで、「エイジング毛」について、図４（Ａ）〜図４（Ｃ）を参照して説明する。「エイジング毛」とは、年齢を重ねるほどに観察され易くなる毛髪である。この「エイジング毛」は、略直線状の毛髪が大部分を占める頭髪部位においてはＳ字状等にうねった毛髪であり、癖毛やパーマ毛等の非直線状の毛髪が大部分を占める頭髪部位においてはうねり形状が際立つ毛髪である。経験上、毛髪の根元や抜け毛の後に毛穴から生えてきた毛髪においてエイジング毛形状が確認されているから、エイジング毛特有のうねり形状は、根元で確認されやすいと考えられる。
【００３１】
図４（Ａ）は、Ｓ字状にうねったエイジング毛の一例を表すものであり、当該エイジング毛の比較対象となる非エイジング毛は、図４（Ｂ）に示す形状のものである。図４（Ｃ）は、図４（Ａ）のエイジング毛よりもうねりが際立つエイジング毛の一例であり、毛髪に太い部分と細い部分とが混在する。当該混在は軟毛よりも硬毛において確認され易い。
【００３２】
本発明者らのモニタ試験の結果によると、図５（Ａ）〜図５（Ｄ）を参照しつつ以下に説明する通り、エイジング毛は、トップ毛髪群、ミドル毛髪群及びネープ毛髪群の順に確認されやすい。図５（Ａ）はエイジング毛が発現していない状態を示すものであり、この状態から、まず図５（Ｂ）に示すようにトップ毛髪群においてエイジング毛が現れ、更に年齢を重ねると、図５（Ｃ）に示すようにトップ毛髪群に加えてミドル毛髪群にもエイジング毛が現れ、また更に年齢を重ねると、図５（Ｄ）に示すようにネープ毛髪群にまでエイジング毛が現れる。
【００３３】
図６に基づき、エイジング毛の有無を簡易的に確認する方法を説明する。例えば図６（Ａ）〜図６（Ｃ）に示すように、トップ、ミドル、又はネープの毛髪束にテンション与えて略直線状とした場合に、エイジング毛が存在していると、複数本のエイジング毛が毛髪束の外側に飛び出しているのが確認される。この確認が可能なのは、テンションを与えた毛髪束において、エイジング毛のうねりが際立つからである。
【００３４】
図３（Ｃ）に示した毛髪群３Ｃは、押圧力の解除直後に完全に屈曲しているものである。毛髪群３Ｃに近い状態の毛髪群は、弾性が殆どないと判断できるため、化学的処理によるダメージの蓄積が大きいと判断される。
【００３５】
図３（Ｄ）に示した毛髪群３Ｄは、毛髪群３Ｃよりも屈曲の程度は小さいが、押圧力の解除直後に屈曲しているものである。毛髪群３Ｄに近い状態の毛髪群は、毛髪群３Ｃよりも弾性があるが、化学的処理によるダメージの蓄積が大きいと判断される。
【００３６】
図３（Ｅ）に示した毛髪群３Ｅは、押圧力の解除直後に屈曲していないが、湾曲程度が比較的に大きなものである。毛髪群３Ｅに近い状態の毛髪群は、弾性が十分でないと判断できるため、化学的処理によるダメージの蓄積が大きいと判断される。
【符号の説明】
【００３７】
１  毛髪群
１０  毛先部分
１１  折り返し部分
１２  毛先
２１  第一指
２２  第二指
３Ａ〜３Ｅ  毛髪群
【図１】
2015036017.tif 000003
【図２】
2015036017.tif 000004
【図３】
2015036017.tif 000005
【図４】
2015036017.tif 000006
【図５】
2015036017.tif 000007
【図６】
2015036017.tif 000008